(57)【要約】      （修正有）【課題】使用者の腹部領域をきつく締め付けない男性用機能性衣料及びウエスト部サポート体の提供。【解決手段】機能性衣料品は、使用者の臀部領域及びウエスト部領域を受容且つサポートする本体を備えることができる。腹部サポート体ユニット４００Ａが当該本体の前部分に設けられて腹部領域をサポートすることができる。当該腹部サポートユニットは、少なくとも２つの第２の腹部サポート板４０４Ａ，４０６Ａ間に位置する少なくとも１つの第１の腹部サポート板４０２Ａを有することができる。少なくとも２つの第２の腹部サポート板の伸縮性は、少なくとも１つの第１の腹部サポート板の伸縮性よりも低いものとすることができる。ウエスト部サポート体は取り付け可能な機能性衣料品とすることができる。ウエスト部サポート体は、使用者のウエスト部の一部の周りを囲むことができる。【選択図】図４Ａ
2007107172.tif 000002
【特許請求の範囲】
【請求項１】
機能性衣料品であって、
使用者の臀部領域及びウエスト部領域を受容且つサポートする本体と、
該本体の前部分に設けられているとともに使用者の腹部領域をサポートする腹部サポートユニットであって、該腹部サポートユニットは、少なくとも２つの第２の腹部サポート板間に位置する少なくとも１つの第１の腹部サポート板を有し、前記第２腹部サポート板の伸縮性は、前記第１腹部サポート板の伸縮性よりも低い、腹部サポートユニットとを備える、機能性衣料品。
【請求項２】
前記腹部サポートユニットは、使用者の腹部領域の下部をサポートする下部分を有する、請求項１に記載の機能性衣料品。
【請求項３】
前記腹部サポートユニットは、前記腹部領域の上部をサポートし、前記本体の下部分は使用者の生殖器を受容する空隙部を有する、請求項１に記載の機能性衣料品。
【請求項４】
前記第１腹部サポート板及び前記第２腹部サポート板は吸汗性伸縮性繊維から成る、請求項１に記載の機能性衣料品。
【請求項５】
前記第１腹部サポート板及び前記第２腹部サポート板は同じ材料から成る、請求項１に記載の機能性衣料品。
【請求項６】
前記第１腹部サポート板及び前記第２腹部サポート板は異なる材料から成る、請求項１に記載の機能性衣料品。
【請求項７】
前記第２の腹部サポート板はループユニットをさらに有する、請求項１に記載の機能性衣料品。
【請求項８】
前記本体の前記前部分及び後部分に縫合されて、使用者の両脚を入れる２つの脚穴を形成する股部分をさらに有し、
前記第１腹部サポート板は、前記本体の前記前部分の上部から前記本体の前記股部分に延びる、請求項１に記載の機能性衣料品。
【請求項９】
前記第１腹部サポート板の縦の長さは、前記第２腹部サポート板の縦の長さよりも短い、請求項1に記載の機能性衣料品。
【請求項１０】
前記第２腹部サポート板の前記ループユニットに取り付けるフックユニットを対向する両端に有するウエスト部サポート体をさらに備える、請求項１に記載の機能性衣料品。
【請求項１１】
前記ウエスト部サポート体は、取り付けられる際に使用者のウエスト部領域の周りを実質的に囲む、請求項９に記載の機能性衣料品。
【請求項１２】
前記ウエスト部サポート体の対向する両端は、取り付けられる際に重なり合わない、請求項１０に記載の機能性衣料品。
【請求項１３】
ウエスト部サポート体をさらに備え、該ウエスト部サポート体は、
伸縮性バンド、及び、対向する両端に配置されるフックユニットを有する内側部分であって、前記フックユニットは、前記ウエスト部サポート体が使用者のウエスト部の一部の周りを囲むように前記機能性衣料品に取り付け可能である、内側部分と、
前記本体を形成する材料と同じ材料で被覆される外側部分とを有し、
前記ウエスト部サポート体は、前記フックユニットが使用者のウエスト部の周りに着用される際に重なり合わないように、使用者のウエスト部の長さよりも短くした、請求項１に記載の機能性衣料品。
【請求項１４】
機能性衣料品であって、
使用者の臀部領域、腹部領域、及びウエスト部領域を受容且つサポートする本体と、
該本体の前部分に設けられているとともに使用者の腹部領域をサポートする腹部サポートユニットであって、該腹部サポートユニットは、少なくとも２つの第２の腹部サポート板間に位置する少なくとも１つの第１の腹部サポート板を有し、前記第２腹部サポート板は、ウエスト部サポート体の対向する両端を受け入れるループユニットを有する、腹部サポートユニットとを備える、機能性衣料品。
【請求項１５】
前記第２腹部サポート板及び前記第１腹部サポート板は同じ材料から成る、請求項１４に記載の機能性衣料品。
【請求項１６】
前記第２腹部サポート板及び前記第１腹部サポート板は異なる材料から成る、請求項１４に記載の機能性衣料品。
【請求項１７】
前記本体の前記前部分及び後部分に縫合されて、使用者の両脚を入れる２つの脚穴を形成する股部分をさらに有し、
前記第１腹部サポート板は、前記本体の前記前部分の上部から前記本体の前記股部分に延びる、請求項１４に記載の機能性衣料品。
【請求項１８】
前記第１腹部サポート板の縦の長さは、前記第２腹部サポート板の縦の長さよりも短い、請求項１４に記載の機能性衣料品。
【請求項１９】
前記第２腹部サポート板の前記ループユニットに取り付けるフックユニットを対向する両端に有するウエスト部サポート体をさらに備える、請求項１４に記載の機能性衣料品。
【請求項２０】
前記ウエスト部サポート体は、取り付けられる際に使用者のウエスト部領域の一部の周りを囲む、請求項１７に記載の機能性衣料品。
【請求項２１】
前記ウエスト部サポート体の対向する両端は、取り付けられる際に重なり合わない、請求項１７に記載の機能性衣料品。
【請求項２２】
ウエスト部サポート体をさらに備え、該ウエスト部サポート体は、
伸縮性バンド、及び、対向する両端に配置される前記フックユニットを有する内側部分であって、前記フックユニットは、前記ウエスト部サポート体が使用者のウエスト部の一部の周りを囲むように前記機能性衣料品に取り付け可能である、内側部分と、
前記機能性衣料品の本体を構成する材料と同じ材料で被覆される外側部分とを有し、
前記ウエスト部サポート体は、前記フックユニットが使用者のウエスト部の周りに着用される際に重なり合わないように、使用者のウエスト部の長さよりも短くした、請求項１４に記載の機能性衣料品
【請求項２３】
使用者のウエスト部の周りに機能性衣料品を取り付けるウエスト部サポート体であって、
伸縮性バンド、及び、対向する両端に配置されるフックユニットを有する内側部分であって、前記フックユニットは、該ウエスト部サポート体が使用者のウエスト部の一部の周りを囲むように前記機能性衣料品に取り付け可能である、内側部分と、
前記機能性衣料品の本体を構成する材料と同じ材料で被覆される外側部分とを有し、
該ウエスト部サポート体は、取り付けられる際に重なり合わないように使用者のウエスト部の長さよりも短い長さを有する、使用者のウエスト部の周りに機能性衣料品を取り付けるウエスト部サポート体。
【発明の詳細な説明】
【技術分野】
【０００１】
［技術分野］
本発明の例示的な実施形態は機能性衣料に関する。
【背景技術】
【０００２】
［発明の詳細な説明］
図１は従来の男性用ガードルを示す。図１に示すように、男性用ガードル１０は、使用者のウエスト部、背部（腰部）、及び下腹部領域をサポート及び保護する腹部バンド２０を備える。男性用ガードル１０は、使用者の生殖器を受容する空隙部３０と、使用者の両脚を入れるのに適した脚部４０とをさらに有する。
【０００３】
第１の接続部２２が腹部バンド２０の一端に形成されている。第１の接続部２２は、使用者のウエスト部を締め付ける伸縮性特性を有する。第２の接続部２４が第１の接続部２２の自由端に設けられている。第２の接続部２４は、第１の接続部２２に接続されて使用者の下腹部領域を締め付けるようになっている。第２の接続部２２の一方の表面は接着性繊維で形成され、第２の接続部２２の他方の表面は伸縮性繊維で形成されている。
【０００４】
第４の接続部２６が、使用者のウエスト部を締め付ける伸縮性特性を有する。第４の接続部２６は腹部バンド２０のもう一方の端に形成される。第５の接続部２８が第４の接続部２６の自由端に設けられている。第５の接続部２８は、第４の接続部２６に接続されて使用者の下腹部領域を締め付けるようになっている。第５の接続部２８の一方の表面はウール製接続テープで形成され、第５の接続部２８の他方の表面は伸縮性繊維で形成されている。
【発明の開示】
【発明が解決しようとする課題】
【０００５】
腹部バンドを有する男性用ガードル等の従来の衣料品では、第２の接続部２４は第５の接続部２８と結合される。第２の接続部２４が第５の接続部２８と重なるため、使用者の腹部領域をきつく締め付けかねない。
【課題を解決するための手段】
【０００６】
本発明の例示的な実施形態では、使用者の腹部及び／又は腹部領域の体温を調整しつつ、腹部締め付け構造サポート体（abdominal stress structure support）を提供することができる。本発明の例示的な実施形態は、任意選択的な腰筋保護具（waste muscle protector）を提供することができ、この腰筋保護具が使用者の腰筋を保護及び／又はサポートすることができる。本発明の例示的な実施形態は、使用者の腹部領域及びウエスト部をサポートすることができ、且つ／又は使用者の移動及び／又は動きをあまり制限せずに悪い姿勢を正すのに用いることができる。
【０００７】
本発明の例示的な一実施形態は機能性衣料品を提供する。機能性衣料品は、使用者の臀部領域及びウエスト部領域を受容且つサポートする本体を備え得る。腹部サポートユニットは、本体の前部分に設けられ、使用者の腹部及び／又は腹部領域をサポートし得る。腹部サポートユニットは少なくとも２つの第２の腹部サポート板間に位置する少なくとも１つの第１の腹部サポート板を有し得る。２つの第２の腹部サポート板の伸縮性は、第１の腹部サポート板の伸縮性よりも低いものとすることができる。例えば、２つの第２の腹部サポート板は実質的に伸縮性を有していなくてもよい。
【０００８】
本発明の例示的な別の実施形態は機能性衣料品を提供する。機能性衣料品は、使用者の臀部、腹部領域、及びウエスト部領域を受容且つサポートする本体を備え得る。腹部サポートユニットは、本体の前部分に設けられ得り、また、使用者の腹部及び／又は腹部領域をサポートし得る。腹部サポートユニットは、少なくとも２つの第２の腹部サポート板間に位置する少なくとも１つの第１の腹部サポート板を有し得る。少なくとも２つの第２の腹部サポート板は、ウエスト部サポート体の対向する両端を受け入れるループユニット（例えばベルクロ（Ｖｅｌｃｒｏ）ループユニット）を有し得る。
【０００９】
本発明の例示的な別の実施形態は、使用者のウエスト部の周りの機能性衣料品に取り付けるウエスト部サポート体を提供する。ウエスト部サポート体は、対向する両端に伸縮性バンド及びフックユニットを有する内側部分を有する。フックユニットは、ウエスト部サポート体が使用者のウエスト部の一部の周りを囲むように機能性衣料品に取り付け可能であり得る。ウエスト部サポート体は、本体を構成する材料と同じ材料で被覆される外側部分を有し得る。ウエスト部サポート体は、使用者のウエスト部の長さよりも短い長さを有し得る。
【００１０】
本発明の例示的な実施形態では、腹部サポートユニットは使用者の腹部領域の下部をサポートする下部分を有し得る。或いは、腹部サポートユニットは、腹部領域の上部をサポートし得り、本体の下部分は使用者の生殖器を受容する空隙部を有し得る。
【００１１】
本発明の例示的な実施形態では、少なくとも１つの第１の腹部サポート板と少なくとも２つの第２の腹部サポート板は吸汗性伸縮性繊維から成ることができる。
【００１２】
本発明の例示的な実施形態では、少なくとも１つの第１の腹部サポート板及び少なくとも２つの第２の腹部サポート板は、同じ材料であってもよく又は異なる材料であってもよい。第１の腹部サポート板と少なくとも２つの第２の腹部サポート板とのうち少なくとも１つは、ループユニットを含み得る。
【００１３】
本発明の例示的な一実施形態では、股部分が本体の前部分と後部分に縫合されて、使用者の両脚を入れる２つの脚穴を形成する。少なくとも１つの第１の腹部サポート板は、例えば本体の前部分から本体の股部分にかけて延び得る。別の例では、第１の腹部サポート板の縦の長さは少なくとも２つの第２の腹部サポート板の縦の長さよりも短くてもよい。
【００１４】
本発明の例示的な実施形態では、機能性衣料品は、少なくとも２つの第２の腹部サポート板のフックユニットに取り付けるフックユニットを対向する両端に有するウエスト部サポート体をさらに有し得る。ウエスト部サポート体は、使用者のウエスト部領域に取り付けられてもよく、また、ウエスト部領域の周りを実質的に囲んでもよい。ウエスト部サポート体の対向する両端は重なり合わないようにすることができる。
【００１５】
本発明の例示的な実施形態では、ウエスト部サポート体は、伸縮性バンド、及び対向する両端に配置されるフックユニットを有する内側部分を有し得る。フックユニットは、ウエスト部サポート体が使用者のウエスト部の一部の周りを囲むように機能性衣料品に取り付け可能である。外側部分は本体を形成する材料と同じ材料で被覆される。ウエスト部サポート体は、使用者のウエスト部の長さよりも短い長さを有し得る。
【発明を実施するための最良の形態】
【００１６】
［実施形態］
図２Ａは、本発明の例示的な一実施形態による機能性衣料品の本体１００の前部分２００を示す。図２Ｂは、本発明の例示的な一実施形態による機能性衣料品の本体１００の股部分２０２を示す。図２Ｃは、本発明の例示的な一実施形態による機能性衣料品の本体１００の後部分２０４を示す。図３Ａ及び図３Ｂはそれぞれ前部分２００及び後部分２０４の斜視図を示す。
【００１７】
本体１００は、下着又は下着類の形態とすることができる。本体１００は、綿、綿混紡、任意の他の適した合成繊維、合成繊維混紡、天然素材、又は天然素材混紡から成ることができる。着用される際、本体１００は、使用者の臀部領域、腹部領域、及び／又はウエスト部領域を受容且つサポートすることができる。
【００１８】
図２Ａ〜図２Ｃ、図３Ａ、及び図３Ｂに示す前部分２００及び後部分２０４は、少なくとも２つの別個の材料部片（例えば、２つ、３つ、４つ等）から成っていてもよい。
【００１９】
少なくとも２つの別個の部片は縫合されて、少なくとも２つの縫い目を形成する。例えば、２つの別個の材料部片の２つの縁が縫合され得る。２つの縫合される両縁は、対向する両縁とすることができ、同じ材料又はほぼ同じ材料から成ることができる。本発明の例示的な実施形態では、前部分２００及び後部分２０４はそれぞれ、例えば１つ、２つ、３つ等の任意の適した数の材料部片から成ることができる。
【００２０】
別の例では、前部分２００及び後部分２０４は１つのひと続きの材料部片から成ることができる。この例では、その１つの材料部片の２つの対向する両縁が縫合されて円筒状を形成し得る。
【００２１】
股部分２０２は、前部分２００及び後部分２０４のそれぞれの底部分に縫合され得る。股部分２０２は、例えば前部分２００及び後部分２０２に縫合されたときに２つの脚穴を形成することができるように砂時計形状を有し得る。着用される際、脚穴に使用者の脚を入れることができる。
【００２２】
別の例では、２つの別個の部片の第３の縁を縫合して、脚穴を切り抜くことができる。よって、本体は少なくとも３つの縫い目のある１つの材料部片から成ることができる。
【００２３】
図４Ａは、本発明の例示的な一実施形態による腹部サポートユニットを示す。図４Ｂは、本発明の別の例示的な実施形態による腹部サポートユニットを示す。図５Ａ及び図５Ｂは、本発明の例示的な一実施形態による腹部サポートユニットを備える機能性衣料品の本体の前部分を示す。図６Ａ及び図６Ｂは、図５Ａ及び図５Ｂにそれぞれ対応する機能性衣料品の前部分の斜視図である。
【００２４】
図５Ａ及び図５Ｂに示すように、腹部サポートユニット４００Ａ及び４００Ｂは本体１００の前部分２００に配置され得る。腹部サポートユニット４００Ａ及び４００Ｂは使用者のウエスト部の少なくとも一部にわたることができる。
【００２５】
図４Ａ及び図５Ａを参照すると、腹部サポートユニット４００Ａは、少なくとも１つの第１の腹部サポート板４０２Ａと少なくとも２つの第２の腹部サポート板４０４Ａ及び４０６Ａとを有し得る。第１の腹部サポート板４０２Ａは、腹部サポートユニット４００Ａが縦軸に関して対称になるように、２つの第２の腹部サポート板４０４Ａ及び４０６Ａ間に位置し得る。縦軸は、第１の腹部サポート板４０２Ａの中央に水平方向に位置しても良く、腹部サポートユニット４００Ａの上縁から下縁に延びる。腹部サポートユニット４００Ａは比較的曲がりにくくてもよい。
【００２６】
一例では、第１の腹部サポート板４０２Ａは、ウール、ウール混紡、同様の織物、Ｓｐａｎｄｅｘ  Ｌｏｏｐ、Ｌｙｃｒａ  Ｌｏｏｐ、吸汗性伸縮性繊維を有する材料、又は任意の他の同様の材料若しくは材料の混紡等の、より伸縮性の高い材料を用いて作製することができる。第２の腹部サポート板４０４Ａ及び４０６Ａはウール繊維を用いて作製することができる。ウール繊維は、第２の腹部サポート板４０４Ａ及び４０６Ａがループユニット（例えば、ベルクロループユニット、又は任意の他の適したループユニット）を有するように作製することができる。これらのループユニットは、ウエスト部サポート体（図７Ａ〜図７Ｃに示す）のフックユニット（例えばベルクロフックユニット）を受け入れる及び取り付ける（例えば、掛ける、一時的に固定する等）ことが可能であってもよい。第１の腹部サポート板４０２Ａはまた、ウエスト部サポート体のフックユニットを受け入れる及び取り付ける（例えば、掛ける、一時的に固定する等）のに適したループユニットも有し得る。ウエスト部サポート体のフックユニットは、腹部サポートユニット４００Ａの任意の部分に取り付けることができる。第２の腹部サポート板４０４Ａ及び４０６Ａは、第１の腹部サポート板４０２Ａよりも伸縮性が低いものとすることができる。例えば、第２の腹部サポート板４０４Ａ及び４０６Ａは非伸縮性又は実質的に非伸縮性であってもよい。すなわち、例えば、第２の腹部サポート板４０４Ａ及び４０６Ａには全く伸縮性がなくてもよく、又は実質的に伸縮性がなくてもよい。
【００２７】
別の例では、第１の腹部サポート板４０２Ａ及び第２の腹部サポート板４０４Ａ及び４０６Ａは、同じ材料から成っていてもよい。この例では、第２の腹部サポート板４０４Ａ及び４０６Ａを構成する材料は、第１の腹部サポート板４０２Ａを構成する同じ材料よりも密に織られてもよい。したがって、第１の腹部サポート板４０２Ａと第２の腹部サポート板４０４Ａ及び４０６Ａとは、同じ材料から成っていてもよく、第１の腹部サポート板４０２Ａは、第２の腹部サポート板４０４Ａ及び４０６Ａよりも伸縮性があってもよい（例えば、より高い伸縮性を有する）。
【００２８】
腹部サポートユニット４００Ａは、前部分２００の一方の縦の縫い目から他方の縫い目へ延びるのに十分なサイズを有し得る。或いは、腹部サポートユニット４００Ａは、使用者の一方の側から他方の側に延びるのに十分なサイズを有し得る。しかしながら、本発明の例示的な実施形態は、腹部サポートユニット４００Ａの形状及び／又はサイズを限定しない。
【００２９】
図５Ａに示すように、第１の腹部サポート板４０２Ａは前部分２００の上縁から股部分２０２に延びることができるため、使用者の下腹部領域を効果的にサポートすることができる。第１の腹部サポート板４０２Ａは、前部分２００の中央に水平方向に位置し得る。第２の腹部サポート板４０４Ａ及び４０６Ａは、上述のように腹部サポート板４００Ａが縦に対称になるように第１の腹部サポート板４０２Ａの各側面に位置することができる。第２の腹部サポート板４０４Ａ及び４０６Ａは、前部分２００の上縁から前部分２００の上縁及び下縁間の少なくとも途中（例えば中間地点）まで縦に延びるように設計されることができる。第２の腹部サポート板４０４Ａ及び４０６Ａの下縁は、第２の腹部サポート体４０４Ａ及び４０６Ａが前部分２００の上縁及び下縁間の約４分の３のところで第１の腹部サポート板４０２Ａと合流するように湾曲し得る。第１の腹部サポート板４０２Ａの下縁はまた、腹部サポートユニット４００Ａの下部の両側が曲線を有してその縁が股部分２０２の縁に延びるように湾曲し得る。
【００３０】
図４Ｂを参照すると、腹部サポートユニット４００Ｂは、少なくとも１つの第１の腹部サポート板４０２Ｂと少なくとも２つの第２の腹部サポート板４０４Ｂ及び４０６Ｂを有し得る。腹部サポートユニット４００Ｂの第１の腹部サポート板４０２Ｂと第２の腹部サポート板４０４Ｂ及び４０６Ｂとは、それぞれ第１の腹部サポート板４０２Ａと第２の腹部サポート板４０４Ａ及び４０６Ａと同様とすることができるが、ただしそれぞれの形状は異なる。
【００３１】
腹部サポートユニット板４０２Ｂは下部分４０８Ａを有さず、縦の長さが第１の腹部サポート板４０２Ａに対して短い。第１の腹部サポート板４０２Ａは、本体１００の前部分２００の中央に水平方向及び／又は垂直方向に位置し得る。
【００３２】
例えば、第１の腹部サポート板４０２Ｂは、前部分２００の上縁から多くとも前部分２００の上縁及び股部分２０２間の途中まで縦に延び得る。第１の腹部サポート板４０２Ｂは、上向きに凹んだ（上に張り出した）下縁を有し得る。
【００３３】
第２の腹部サポート板４０４Ｂ及び４０６Ｂは、前部分２００の上縁から前部分２００の上縁及び下縁間の約途中まで縦に延び、縦の長さが第１の腹部サポート板４０２Ｂよりも長くなるように設計され得る。第２の腹部サポート板４０４Ｂ及び４０６Ｂの下縁は、第２の腹部サポート板４０４Ｂ及び４０６Ｂの下縁が前部分２００の上縁及び下縁間の途中に満たないところで第１の腹部サポート板４０２Ｂの下縁と合流するように湾曲され得る。
【００３４】
第１の腹部サポート板４０２Ｂと第２の腹部サポート板４０４Ｂ及び４０６Ｂとの下縁は、腹部サポートユニット４００Ｂの下縁が上向きに凹む（上に張り出す）ような形状とすることができる。
【００３５】
さらに図５Ｂを参照すると、前部分２００は、男性使用者の生殖器を受容するために空隙部２０６を有することができる。空隙部２０６は腹部サポート板４０２Ａの下部分の代わりとなることができ、第１の腹部サポート板４０２Ｂの下縁から股部分２０２に延びることができる。図５Ｂに示すように空隙部２０６は逆三角形状を有し得る。
【００３６】
腹部サポートユニット４００Ａ及び４００Ｂの少なくとも縁は前部分２００に縫合され得る。縫い目をさらに強くするために、腹部サポートユニット４００Ａ又は４００Ｂの内側部分も本体１００の前部分２００に縫合される。これにより、腹部サポートユニット４００Ａ又は４００Ｂを本体１００に固定することができる。縫合は、使用者の下腹部領域を伸縮性サポートするようにダブルステッチ構造を有してもよい。
【００３７】
図７Ａ〜図７Ｃは、本発明の例示的な一実施形態によるウエスト部サポート体を示す。図７Ａはウエスト部サポート体の内側部分を示す。図７Ｂはウエスト部サポート体の外側部分を示す。図７Ｂに示すように、ウエスト部サポート体の外側部分は織物で被覆され得る。織物は本体１００と同じ材料から成ることができる。図７Ｃは本発明の例示的な一実施形態によるウエスト部サポート体の内側部分を示す。
【００３８】
図７Ａを参照すると、ウエスト部サポート体は２つの部分７００Ａ及び７００Ｂを有し得る。２つの部分７００Ａ及び７００Ｂはそれぞれ複数の伸縮性バンド７０４を有し得る。伸縮性バンド７０４は、例えば、ウエスト部サポート体の各部分の水平な両端間を横に延び得る。また、図７Ｃに示すように、第１の部分７００Ａ及び第２の部分７００Ｂはそれぞれ一端に少なくとも１つのフックユニット（例えばベルクロフックユニット又は任意の他の適したフックユニット）７１２を有してもよい。フックユニット（複数可）７１２は、上述のループユニット（例えばベルクロループユニット）を介して第１の腹部サポート板４０２Ａ、４０２Ｂ及び／又は第２の腹部サポート板４０４Ａ、４０６Ａ、４０４Ｂ、及び４０６Ｂに取り付け可能とすることができる。同じく図７Ｃに示すように内側部分は或る材料で被覆され得る。この材料は、本体１００を構成するのと同じ材料とすることができる。
【００３９】
ウエスト部サポート体は、第１の部分７００Ａ及び第２の部分７００Ｂのそれぞれの端を密に縫合することによって形成され得る。部分７００Ａ及び７００Ｂの端どうしの縫合部は、図７Ａに７０６で示す。縫合される両端はフックユニット（複数可）７１２を端に有する対向する両端とすることができる。第１の部分７００Ａ及び第２の部分７００Ｂの２つの端は、ウエスト部サポート体が図７Ａに示すように角度を付けられることができるように縫合され得る。この角度により、ウエスト部サポート体を本体の外形に合わせ、且つ／又はより快適に使用者にフィットさせるようにすることができる。ウエスト部サポート体は、腹部サポートユニット４００Ａ又は４００Ｂよりも可撓性のある材料を用いて作製され得る。本発明の例示的な実施形態では、ウエスト部サポート体は、綿、綿混紡、綿タイプの材料、クールマックス（ＣｏｏｌＭａｘ）、モイステックス（Ｍｏｉｓｔｅｘ）、それらの組み合わせ、又は任意の他の適した材料から成り得る。
【００４０】
図８Ａ及び図８Ｂは、本発明の例示的な一実施形態による、ウエスト部サポート体と組み合わせた機能性衣料品を示す。図８Ａに示す機能性衣料品は図６Ａで説明したものと同じである。図８Ａに示すようにウエスト部サポート体７００は使用者のウエスト部の周りを囲み得る。ウエスト部サポート体の縫合された両端は、縫合部７０６が使用者の脊椎と縦方向に整合するように後部分２０４に隣接して位置付けされ得る。ウエスト部サポート体の横縁は、本体１００の上部の上縁に対して若干斜めに位置合わせされ得る。
【００４１】
例えば、ウエスト部サポート体は、本体１００の上縁に対してほぼ平行に位置合わせされてもよい。ウエスト部サポート体７００の各端のフックユニット（複数可）７１２は、腹部サポートユニット４００Ａ又は４００Ｂに取り付けることができる。例えば、フックユニット（複数可）７１２はそれぞれ第２の腹部サポート板４０４Ａ及び４０６Ａの一方に取り付けてもよい。
【００４２】
別の例では、フックユニット（複数可）７１２はそれぞれ第２の腹部サポート板４０４Ａ及び４０６Ａの一方のループユニットに部分的に取り付けてもよく、また、第１の腹部サポート板４０２Ａのループユニットに部分的に取り付けてもよい。
【００４３】
図８Ｂを参照すると、図８Ｂに示す機能性衣料品は、図６Ｂに示した機能性衣料品である。図８Ｂのウエスト部サポート体および機能性衣料品は、図８Ａに関して上述したのと同じようにして取り付けられる（例えば、組み合わせる、一時的に固定する等）ことができる。よって、簡潔するためにこのような取り付けの同様な説明は省くことにする。
【００４４】
本発明の例示的な実施形態による、ウエスト部サポート体と組み合わせた機能性衣料品は、使用者の腰椎及び／又は仙骨領域にサポートを与えることで使用者のウエスト部を保護することができる。本発明の例示的な実施形態は、身体をサポートし、その外形に快適にフィットし、且つ／又はその外形に合わせることができ、且つ／又は、身体の動きを自由にさせつつ整えるようにすることができる。
【００４５】
男性使用者の場合、機能性衣料品は、腹部領域の上部をサポートするとともに空隙部２０６により使用者の生殖器を受容することができる。
【００４６】
本発明の少なくとも１つの例示的な実施形態では、使用者の弱い腰筋をサポートするためにウエスト部サポート体／保護具を腹部サポート板の任意の部分に取り付けることができる。
【００４７】
本発明の少なくとも１つの例示的な実施形態では、使用者の腹部領域は、きつく締め付けられ得ず、また、ウエスト部サポート体の設計により、ウエスト部サポート体／保護具の浮き上がり（rising-up）がないようになっている。
【００４８】
本発明の少なくとも１つの例示的な実施形態によるウエスト部保護具は、機能性衣料品の後部分に取り付けも結合もされずに使用者のウエスト部の周りを囲むことができる。
【００４９】
本発明の少なくとも１つの実施形態は、移動を制限せずにサポートすることができ、且つ／又は、皮膚に刺激を与えずに腰筋をより動きやすくさせるようにすることができる。例えば、使用者が腹部サポート板に任意選択的にウエスト部サポート体／保護具を取り付ける場合、半円状のベルクロフックユニットが着脱可能であり、互いに重なり合わずに腹部サポート板に取り付けられる。その結果、着用者のウエスト部領域をあまりきつく締め付けずにそのウエスト部がサポートされる。
【００５０】
本発明の例示的な実施形態を例示目的として説明してきたが、本発明の範囲及び精神を逸脱することなく、種々の変更、追加、及び置換が可能であることは当業者は理解するであろう。
【図面の簡単な説明】
【００５１】
【図１】従来の男性用ガードルを示す図である。
【図２Ａ】本発明の例示的な一実施形態による機能性衣料品の本体の前部分を示す図である。
【図２Ｂ】本発明の例示的な一実施形態による機能性衣料品の本体の股部分を示す図である。
【図２Ｃ】本発明の例示的な一実施形態による機能性衣料品の本体の後部分を示す図である。
【図３Ａ】本発明の例示的な一実施形態による機能性衣料品の本体の前部分の斜視図である。
【図３Ｂ】本発明の例示的な一実施形態による機能性衣料品の本体の後部分の斜視図である。
【図４Ａ】本発明の例示的な一実施形態による腹部サポートユニットを示す図である。
【図４Ｂ】本発明の例示的な別の実施形態による腹部サポートユニットを示す図である。
【図５Ａ】本発明の例示的な一実施形態による機能性衣料品の前部分を示す図である。
【図５Ｂ】本発明の例示的な別の実施形態による機能性衣料品の前部分を示す図である。
【図６Ａ】図４Ａに示した機能性衣料品の前部分の斜視図である。
【図６Ｂ】図４Ｂに示した機能性衣料品の前部分の斜視図である。
【図７Ａ】本発明の例示的な一実施形態によるウエスト部サポート体を示す図である。
【図７Ｂ】本発明の例示的な一実施形態によるウエスト部サポート体を示す図である。
【図７Ｃ】本発明の例示的な一実施形態によるウエスト部サポート体を示す図である。
【図８Ａ】本発明の例示的な実施形態による、ウエスト部サポート体と組み合わせた機能性衣料品を示す図である。
【図８Ｂ】本発明の例示的な実施形態による、ウエスト部サポート体と組み合わせた機能性衣料品を示す図である。
【符号の説明】
【００５２】
本体  １００
腹部サポートユニット  ４００Ａ、４００Ｂ
第１腹部サポート板  ４０２Ａ、４０２Ｂ
第２腹部サポート板  ４０４Ａ、４０４Ｂ、４０６Ａ、４０６Ｂ
【図１】
2007107172.tif 000003
【図２Ａ】
2007107172.tif 000004
【図２Ｂ】
2007107172.tif 000005
【図２Ｃ】
2007107172.tif 000006
【図３Ａ】
2007107172.tif 000007
【図３Ｂ】
2007107172.tif 000008
【図４Ａ】
2007107172.tif 000009
【図４Ｂ】
2007107172.tif 000010
【図５Ａ】
2007107172.tif 000011
【図５Ｂ】
2007107172.tif 000012
【図６Ａ】
2007107172.tif 000013
【図６Ｂ】
2007107172.tif 000014
【図７Ａ】
2007107172.tif 000015
【図７Ｂ】
2007107172.tif 000016
【図７Ｃ】
2007107172.tif 000017
【図８Ａ】
2007107172.tif 000018
【図８Ｂ】
2007107172.tif 000019
【外国語明細書】
2007107172.tif 000020
2007107172.tif 000021
2007107172.tif 000022
2007107172.tif 000023
2007107172.tif 000024
2007107172.tif 000025
2007107172.tif 000026
2007107172.tif 000027
2007107172.tif 000028
2007107172.tif 000029
2007107172.tif 000030
2007107172.tif 000031
2007107172.tif 000032
2007107172.tif 000033
2007107172.tif 000034
2007107172.tif 000035
2007107172.tif 000036
2007107172.tif 000037
2007107172.tif 000038
2007107172.tif 000039
2007107172.tif 000040
2007107172.tif 000041
2007107172.tif 000042
2007107172.tif 000043
2007107172.tif 000044
2007107172.tif 000045